(57)【要約】【課題】カラーフィルムの表示用開口の開口端縁における熱膨張による影響を緩和して、表示用開口の開口端縁に浮きが発生するのを防止することにより、表示用開口の開口端縁における表示むらの発生を防止し、視認性の良好な表示を行う。【解決手段】表示を構成する表示部３、および表示の背景を構成する背景部４を備えた、ネガ型の表示を行う液晶表示パネル２と、表示部３の表示を視認可能とするための表示用開口１１が形成された、背景部４の補色をなす遮光フィルム１０とを有し、液晶表示パネル２と遮光フィルム１０とが部分的に貼着されており、遮光フィルム１０には、液晶表示パネル２との貼着領域の外縁と、表示用開口１１の開口端縁との間隙に、スリット１４を形成されている。【選択図】      図２
2008009244.tif 000002
【特許請求の範囲】
【請求項１】
表示を構成する表示部、および前記表示の背景を構成する背景部を備えた表示パネルと、
前記表示部の表示を視認可能とするための表示用開口が形成された、前記背景部の補色をなすカラーフィルムとを有し、
前記表示パネルと前記カラーフィルムとが部分的に貼着されており、
前記カラーフィルムには、前記表示パネルとの貼着領域の外縁と、前記表示用開口の開口端縁との間隙に、スリットが形成されていることを特徴とする表示装置。
【請求項２】
前記表示パネルが、ネガ型の表示を行う液晶表示パネルであり、
前記カラーフィルムが、前記ネガ型の液晶表示パネルの表示に用いられる照射光を遮光する遮光フィルムである請求項１に記載の表示装置。
【発明の詳細な説明】
【技術分野】
【０００１】
本発明は表示装置に係り、特に、表示パネルの表示を視認可能とするための表示用開口が形成され、表示パネルの背景部の補色をなすカラーフィルムが表示パネルに貼着された表示装置に関する。
【背景技術】
【０００２】
従来より、一対の基板の対向する面に設けられた複数の電極に選択的に電圧を印加することにより、両基板の間隙に封入された液晶を駆動させて文字等の画像の表示を行う液晶表示パネルを有する液晶表示装置が、車両機等の操作表示装置や、機械の制御・監視表示装置等の表示手段として多用されている。
【０００３】
図３は、従来の液晶表示装置の一例を示す模式的断面図である。図３に示すように、この液晶表示装置２１には、一般に、液晶表示パネル２２の反視認側にバックライトユニット２９が配設されており、このバックライトユニット２９から液晶表示パネル２２に照射光を照射し、液晶２３の配向および偏光板２４の偏光軸によって、所望の部分の照射光を液晶表示装置２１の視認側に透過させるとともに、他の部分において前記照射光を遮光することにより表示を行うようになっている。そして、この液晶表示装置２１の表示方法としては、液晶表示パネル２２における表示を行う表示部において照射光を透過させるとともに、表示が行われない背景部の照射光を遮光することにより表示を行うネガ型の表示と、表示部において照射光を遮光するとともに、背景部において照射光を透過させることにより表示を行うポジ型の表示が知られている。
【０００４】
ここで、近年、液晶表示装置２１は、より明るい表示を行うために、照射光の輝度が高いバックライトユニット２９を用いて表示が行われるようになっている。しかし、このような液晶表示装置２１において、例えばネガ型の表示を行う場合、液晶２３の配向および偏光板２４の偏光軸（吸収軸）のみでは背景部において十分に照射光を遮光することができず、この結果、液晶表示装置２１の表示部における表示と背景部とのコントラストが低下し、視認性が低下してしまうということがある。
【０００５】
このため、このようなネガ型の表示を行う液晶表示装置２１においては、液晶表示パネル２２における背景部の補色をなすカラーフィルムとしての遮光フィルム２５を用いることが行われている。この遮光フィルム２５は、樹脂材料等により構成されており、遮光フィルム２５における表示部に対応する部分には、液晶表示パネル２２における表示部の表示を視認可能とするための表示用開口２６が形成されている。この遮光フィルム２５は、背景部の一部分に配置された接着材２７を用いて液晶表示パネル２２に貼着され、バックライトからの照射光を遮光することにより背景部の補色をなすとともに、表示用開口２６を介してバックライトユニット２９からの照射光を透過させて表示を行うようになっている。そして、この遮光フィルム２５を用いることにより、液晶表示装置２１は、表示部における表示と背景部とのコントラストが高く視認性の良好な表示を行うことができるようになっている（例えば、特許文献１参照）。
【０００６】
【特許文献１】特開２００４−２３３８８８号公報
【発明の開示】
【発明が解決しようとする課題】
【０００７】
しかし、前述のような液晶表示パネル２２に遮光フィルム２５が貼着されている液晶表示装置２１においては、バックライトユニット２９の使用によって液晶表示パネル２２の周辺の温度が上昇して、遮光フィルム２５が過度に加熱されてしまうことがある。このように遮光フィルム２５が過度に加熱されてしまうと、表示用開口２６の開口端縁の近傍のような液晶表示パネル２２と貼着されていない部分により大きな負荷が加わり、この結果、遮光フィルム２５の表示用開口２６の開口端縁に浮きが発生してしまうことがあった。
【０００８】
このような液晶表示装置２１においては、補強板により液晶表示パネル２２側に遮光フィルム２５を押さえて、遮光フィルム２５の浮きが発生してしまうのを防止することも考えられるが、液晶表示装置２１の製造コストが上昇する等の理由により補強板を設けることができないこともある。また、近年、液晶表示パネル２２において表示部の領域が拡大する傾向にあり、このような場合には、遮光フィルム２５における液晶表示パネル２２との非貼着領域に対し貼着領域が狭くなってしまい、この結果、遮光フィルム２５の浮きが発生しやすくなってしまうこととなっていた。
【０００９】
そして、このように遮光フィルム２５の表示用開口２６の開口端縁において浮きが発生すると、浮きが発生した部分において表示むらが発生し、表示不良となってしまうおそれがあるという問題を有していた。
【００１０】
本発明はこれらの点に鑑みてなされたものであり、カラーフィルムの表示用開口の開口端縁における熱膨張による影響を緩和して、表示用開口の開口端縁において浮きが発生してしまうのを防止することにより、表示用開口の開口端縁における表示むらの発生を防止し、視認性の良好な表示を行うことができる表示装置を提供することを目的とする。
【課題を解決するための手段】
【００１１】
前記目的を達成するため、請求項１に記載の発明に係る表示装置の特徴は、表示を構成する表示部、および前記表示の背景を構成する背景部を備えた表示パネルと、前記表示部の表示を視認可能とするための表示用開口が形成された、前記背景部の補色をなすカラーフィルムとを有し、前記表示パネルと前記カラーフィルムとが部分的に貼着されており、前記カラーフィルムには、前記表示パネルとの貼着領域の外縁と、前記表示用開口の開口端縁との間隙に、スリットが形成されている点にある。
【００１２】
この請求項１に記載の発明によれば、バックライトユニットの使用等により、表示パネルの周辺の温度が上昇し、カラーフィルムが過度に加熱されてしまった場合であっても、カラーフィルムにおける表示パネルとの貼着領域の外縁と、表示用開口の開口端縁との間隙に形成されたスリットによって、加熱により負担が加わる部分の面積を狭くすることができる。これにより、遮光フィルムの熱膨張による影響を緩和することができる。
【００１３】
また、表示パネルにおける背景部の補色をなすカラーフィルムを配設することにより、表示を行う表示部と背景部とのコントラストがより高い表示を行うことができる。
【００１４】
また、請求項２に記載の発明に係る表示装置の特徴は、前記表示パネルが、ネガ型の表示を行う液晶表示パネルであり、前記カラーフィルムが、前記ネガ型の液晶表示パネルの表示に用いられる照射光を遮光する遮光フィルムである点にある。
【００１５】
この請求項２に記載の発明によれば、バックライトユニットの使用等により、表示パネルの周辺の温度が上昇し、遮光フィルムが過度に加熱されてしまった場合であっても、遮光フィルムにおける表示パネルとの貼着領域の外縁と、表示用開口の開口端縁との間隙に形成されたスリットによって、加熱により負担が加わる部分の面積を狭くすることができる。これにより、遮光フィルムの熱膨張による影響を緩和することができる。
【００１６】
また、ネガ型の表示を行う表示装置において、表示パネルにおける背景部の照射光を遮光する遮光フィルムを配設することにより、表示を行う表示部と背景部とのコントラストがより高い表示を行うことができる。
【発明の効果】
【００１７】
以上述べたように、本発明に係る表示装置によれば、カラーフィルムの表示用開口の開口端縁における熱膨張による影響を緩和することにより、表示用開口の開口端縁において浮きが発生してしまうのを防止することができる。これにより、カラーフィルムの表示用開口の開口端縁における浮きが発生した部分において表示むらが発生してしまうのを防止し、視認性の良好な表示を行うことができる。
【発明を実施するための最良の形態】
【００１８】
以下、本発明に係る表示装置の一実施形態を図１および２を参照して説明する。ここで、本実施形態においては、表示装置として、ネガ型の表示を行う液晶表示装置を用いて説明するが、本発明は、これに限定されるものではない。
【００１９】
図１は、本実施形態に係る液晶表示装置を示す模式的断面図、図２は、図１の液晶表示装置に備えられたカラーフィルムを示す模式的平面図である。
【００２０】
図１および２に示すように、本実施形態に係る液晶表示装置１は、液晶表示パネル２を有し、液晶表示パネル２は、表示を構成する表示部３、および前記表示の背景を構成し、表示を行わない背景部４を有している。また、液晶表示パネル２は、対向して配置された一対の透明基板６を有しており、両透明基板６の相互に対向する内面における所定の位置には、図示しない複数の透明電極が設けられているとともに、所定の方向にラビング処理された配向膜が各透明電極の内面側に積層して設けられている。両透明基板６は、両透明基板６の内面における外周部分に配置されたシール材７により一体とされており、両透明基板６およびシール材７に囲まれた内部には、液晶８が封入されている。そして、この液晶表示パネル２は、表示部３に配置された所望の透明電極を駆動させ、表示部３において液晶表示装置１の視認側に照射光を透過させるとともに、背景部４において照射光を遮光することによりネガ型の表示を行うようになっている。
【００２１】
液晶表示パネル２の視認側および反視認側には、それぞれ偏光板１６が配設されている。各偏光板１６には、表示部３における所望の透明電極に電圧を印加して液晶８を所定の配向方向に駆動させた際に、表示部３における表示を行う部分において照射光を液晶表示パネル２の視認側に透過させるとともに、その他の部分の照射光を遮光する角度に、それぞれ偏光軸が形成されている。
【００２２】
また、液晶表示パネル２の反視認側には、背景部４の補色をなすためのカラーフィルムが貼着されており、本実施形態においては、表示部３において照射光を透過させるとともに背景部４の照射光を遮光することによりネガ型の表示を行う液晶表示装置１であるため、カラーフィルムとして遮光フィルム１０を用いるようになっている。この遮光フィルム１０は、照射光を透過させることにより表示部３の表示を視認可能とするための表示用開口１１が形成されており、本実施形態においては、表示用開口１１は、表示部３の外縁より一回り表示部３の外側に形成されている。そして、遮光フィルム１０は、接着材１２によって、液晶表示パネル２の反視認側、本実施形態においては偏光板１６が設けられた液晶表示パネル２の反視認面に貼着されており、この接着材１２は、表示用開口１１の開口端縁の近傍を除く位置に部分的に配置されている。
【００２３】
また、この遮光フィルム１０のうち、液晶表示パネル２との貼着領域の外縁と表示用開口１１の開口端縁との間隙には、スリット１４が形成されている。このスリット１４は、背景部４の補色、本実施形態においては背景部４における遮光に影響の少ない大きさに形成されている。スリット１４は、図２に示すように、開口端縁の近傍であって接着材１２が配置されない領域が所定の面積よりも広い部分に形成されてもよく、さらには、開口端縁に沿って形成されてもよい。また、このようなスリット１４の形成方法の一例としては、大判の遮光フィルム１０の材料から個々の遮光フィルム１０を切断する際に、同時に金型によって切り抜くことにより形成することができる。
【００２４】
液晶表示パネル２の反視認側には、液晶表示パネル２に照射光を照射するための光源１８や、光源１８からの照射光を液晶表示パネル２側に導く導光板１９等を備えたバックライトユニット２０が配設されている。
【００２５】
この液晶表示装置１は、表示を行うために所望の透明電極に電圧が印加されて液晶８が所定の配向方向に駆動されると、表示部３のうち透明電極に電圧が印加された部分においては、バックライトユニット２０から照射された照射光が、遮光フィルム１０の表示用開口１１および反視認側の偏光板１６の偏光軸を介して液晶表示パネル２に照射されるようになっている。その後、前記照射光は、駆動されている液晶８の部分を透過し、視認側の偏光板１６の偏光軸を介して液晶表示装置１の視認側に照射されるようになっている。一方、背景部４においては、バックライトユニット２０からの照射光が、遮光フィルム１０に遮光されるようになっている。さらに、背景部４における遮光フィルム１０のスリット１４が形成されている部分および表示部３のうち透明電極に電圧が印加されない部分においては、バックライトユニット２０からの照射光が、遮光フィルム１０のスリット１４、表示用開口１１、および偏光板１６の偏光軸を介して液晶表示パネル２に照射された後、駆動されていない液晶８および視認側の偏光板１６の偏光軸によって遮光されるようになっている。これにより、液晶表示装置１は、表示部３における所望の部分において視認側に照射される照射光によって、所望の表示を行うようになっている。
【００２６】
次に、本実施形態の作用について説明する。
【００２７】
本実施形態によれば、遮光フィルム１０のうち、液晶表示パネル２との貼着領域の外縁と、表示用開口１１の開口端縁との間隙には、スリット１４が形成されている。このため、バックライトユニット２０の使用等により、液晶表示パネル２の周辺の温度が上昇し、遮光フィルム１０が過度に加熱されてしまった場合であっても、スリット１４によって加熱により負担が加わる部分の面積を狭くすることにより、遮光フィルム１０の熱膨張による影響を緩和することができる。
【００２８】
したがって、遮光フィルム１０の表示用開口１１の開口端縁における熱膨張による影響を緩和することにより、表示用開口１１の開口端縁において浮きが発生してしまうのを防止することができる。これにより、液晶表示装置１は、遮光フィルム１０の表示用開口１１の開口端縁における浮きが発生した部分において表示むらが発生してしまうのを防止し、視認性の良好な表示を行うことができる。
【００２９】
また、ネガ型の表示を行う液晶表示装置１において、液晶表示パネル２における背景部４の照射光を遮光する遮光フィルム１０を配設することにより、表示を行う表示部３と背景部４とのコントラストがより高い表示を行うことができる。
【００３０】
なお、本発明は前記実施形態に限定されるものではなく、必要に応じて種々変更することが可能である。
【００３１】
例えば、本実施形態においては、表示装置としてネガ型の表示を行う表示装置を用い、カラーフィルムとして照射光を遮光することにより背景部４の補色をなす遮光フィルム１０を用いているが、これに限定されるものではない。表示装置としては、ポジ型の表示を行う表示装置を用いてもよく、また、カラーフィルムとしては、背景部４の補色をなすものであれば、種々の色彩のカラーフィルムを用いることができ、ネガ型の表示を行う表示装置についても他のカラーフィルムを用いることができる。
【００３２】
また、表示装置の構成や遮光フィルム１０の配置位置等については、本実施形態に限定されるものではない。
【図面の簡単な説明】
【００３３】
【図１】本発明に係る液晶表示装置の一実施形態を示す模式的断面図
【図２】図１の液晶表示装置に備えられたカラーフィルムを示す模式的平面図
【図３】従来の液晶表示装置の一例を示す模式的断面図
【符号の説明】
【００３４】
１  液晶表示装置
２  液晶表示パネル
３  表示部
４  背景部
６  透明基板
７  シール材
８  液晶
１０  遮光フィルム
１１  表示用開口
１２  接着材
１４  スリット
１６  偏光板
１８  光源
１９  導光板
２０  バックライトユニット
【図１】
2008009244.tif 000003
【図２】
2008009244.tif 000004
【図３】
2008009244.tif 000005